(57)【特許請求の範囲】
【請求項１】
Ｈｇ，ＮａＩ，ＳｃＩおよびＸｅガスを封止したアークチューブを囲繞するように、金属酸化物が添加された円筒形状のシュラウドガラスを溶着一体化した構造のアークチューブ本体を備え、正極点灯方式で点灯する放電バルブと、前記放電バルブを点灯させる点灯回路からなる照明装置において、
前記シュラウドガラスにおける金属酸化物の総添加量が４０００〜７０００ｐｐｍの範囲とされ、前記シュラウドガラスに含まれる金属酸化物の添加量は、Ａｌ２Ｏ３が１５００ｐｐｍ以上２０００ｐｐｍ以下かつＣｅＯ２が２５００ｐｐｍ以上３０００ｐｐｍ以下とされて、前記金属酸化物の静電遮蔽作用により、前記アークチューブ本体の近傍にグランド電位が存在することに起因して生じる前記アークチューブ内のＮａ＋イオンに対する外部電界の影響が少なくなって、Ｎａ＋イオンのアークチューブやシュラウドガラスの通り抜けが抑制されることを特徴とする照明装置。
【請求項２】
前記アークチューブとシュラウドガラス間の密閉空間には、１気圧以上の不活性ガス（ＡｒまたはＫｒ）が充填されたことを特徴とする請求項１に記載の照明装置。
【請求項３】
前記アークチューブ本体の近傍には、配光制御用の金属製遮光シェードが設けられ、前記遮光シェードが電磁波シールド機能を備えたことを特徴とする請求項１または２に記載の照明装置。
【発明の詳細な説明】
【０００１】
【発明の属する技術分野】
本発明は、アークチューブに筒状のシュラウドガラスが溶着一体化されてアークチューブがシュラウドガラスに囲繞された構造のアークチューブ本体を備えた放電バルブに関する。
【０００２】
【従来の技術】
放電バルブは、図７に示すように、電極３，３を対設した密閉ガラス球２ａ内にＨｇ，ＮａＩ，ＳｃＩ等の発光物質をＸｅガスとともに封入したアークチューブ２が、円筒形状のシュラウドガラス４に囲繞されたアークチューブ本体１を備えた構造となっている。符号５は、アークチューブのピンチシール部２ｂに封着されているモリブデン箔、符号６はピンチシール部２ｂから導出するリード線である。
【０００３】
そして、放電バルブのアークチューブ２を点灯させる方法としては、アークチューブの電極３，３に正の電圧を印加して放電させる正極点灯方式と、アークチューブの電極３，３に負の電圧を印加して放電させる負極点灯方式とがあり、図８，９に示すように、負極点灯方式の方が色度特性に優れ、寿命が長い等、バルブだけから見ると、負極点灯方式が正極点灯方式より優れている。即ち、図８は、アークチューブの発光色が時間とともに変化する様子を５００時間毎にプロットした色度（ｘ，ｙ）特性を示すが、時間の経過によって色度（ｘ，ｙ）特性は図８矢印に示すように、正（負）極点灯方式の方が、色度（ｘ，ｙ）の変化が著しい（少ない）、即ち寿命が短い（長い）。しかし、アークチューブの点灯に不可欠であるバラスト回路から見ると、図９に示すように、負極点灯方式では、一旦発生させた正の電圧を負の電圧に反転させる反転回路を必要とし、バラスト回路が複雑かつ大型化するとか、コスト高となる等という欠点がある。なお、正極点灯と負極点灯のいずれの方式を採用するかは、バルブの寿命を優先するか、バラスト回路側のメリットを優先するかの問題であり、放電バルブの構成としては全く同一で、いずれの方式も採用できる。
【０００４】
そして、この種の放電バルブおよびバラスト回路の開発において、この放電バルブをさらに改善しようとする研究過程で、時間とともにアークチューブの発光色が青白っぽくなって、光束が低下するという問題が生じた。
【０００５】
この原因について検討したところ、アークチューブの点灯（電極３，３間の放電）により、アークチューブ（の密閉ガラス球）内のＮａＩやＳｃＩは、図７に示すように、電離してＮａ＋イオンやＳｃ＋イオンとなるが、Ｎａ＋イオンはＳｃ＋イオンや石英ガラスの分子（アークチューブやシュラウドガラスを構成する石英ガラスの分子）よりも小さいため、密閉ガラス球２ａの側壁およびシュラウドガラス４の側壁を通り抜けてしまって、アークチューブ（密閉ガラス球）内の赤色発光成分（Ｎａ）が減少するためであることがわかった。
【０００６】
即ち、放電バルブはリフレクタに挿着されて使用されるが、アークチューブの点灯時（電極間の放電時）に発生する電磁波（カーラジオなどの電子部品において電磁ノイズの原因となる電磁波）をシールドするために、アークチューブ２の近傍に金属製の配光制御用の遮光シェード８を配置したり、リフレクタ内側をグランド電位（０ボルト）に保持する手段が講じられている等、アークチューブ本体１の近傍にグランド電位（０ボルト）が存在する場合がある。そして、特に、電極３に正電圧を印加する正極点灯方式では、密閉ガラス球２ａ内のＮａ＋イオンが電極３とグランド電位（遮光シェード８）間に生じる電界の影響を受けて、グランド電位（０ボルト）側に引っ張られて、図７矢印に示すように、密閉ガラス球２ａ（やシュラウドガラス４）を通り抜けてしまうというＮａ＋イオンのアークチューブ外への通り抜けが起こるのである。
【０００７】
また、シュラウドガラス４には、一般に人体等に有害な波長域の紫外線（以下ＵＶという）を吸収（遮蔽）するための金属酸化物や、アークチューブ（の密閉ガラス球）内で電離したハロゲンイオンや電極から蒸発したタングステンイオンが石英ガラス（ＳｉＯ２）と反応して密閉ガラス球の内側に白い結晶として付着する失透現象を防止するための金属酸化物が添加されているが、発明者は、前記したアークチューブ（の密閉ガラス球２ａ）内に作用する電界に対しても、シュラウドガラスに添加した金属酸化物によって遮蔽できないかと考え、実験を重ねた結果、所定量の金属酸化物を添加することがＮａ＋イオンのアークチューブ外への通り抜けの抑制に有効であると確認されたので、本発明を提案するに至ったものである。
【０００８】
本発明は、前記した先行技術の問題点に鑑みて、また前記した発明者の知見に基づいてなされたもので、その目的は、アークチューブを囲繞するシュラウドガラスに所定量の金属酸化物を添加することで、アークチューブ（の密閉ガラス球）に作用する外部電界の影響を静電遮蔽作用によって少なくして、Ｎａ＋イオンのアークチューブ外へ通り抜けを抑制できる放電バルブを提供することである。
【０００９】
【課題を解決するための手段】
前記目的を達成するために、請求項１に係る照明装置においては、  Ｈｇ，ＮａＩ，ＳｃＩおよびＸｅガスを封止したアークチューブを囲繞するように、金属酸化物が添加された円筒形状のシュラウドガラスを溶着一体化した構造のアークチューブ本体を備え、正極点灯方式で点灯する放電バルブと、前記放電バルブを点灯させる点灯回路からなる照明装置において、
前記シュラウドガラスにおける金属酸化物の総添加量が４０００〜７０００ｐｐｍの範囲とされ、前記シュラウドガラスに含まれる金属酸化物の添加量は、Ａｌ２Ｏ３が１５００ｐｐｍ以上２０００ｐｐｍ以下かつＣｅＯ２が２５００ｐｐｍ以上３０００ｐｐｍ以下とされて、前記金属酸化物の静電遮蔽作用により、前記アークチューブ本体の近傍にグランド電位が存在することに起因して生じる前記アークチューブ内のＮａ＋イオンに対する外部電界の影響が少なくなって、Ｎａ＋イオンのアークチューブやシュラウドガラスの通り抜けが抑制されるように構成した。
【００１０】
（作用）シュラウドガラスに添加されている所定量の金属酸化物がアークチューブ（の密閉ガラス球）を覆う形態となって、外部電界に対しアークチューブ（の密閉ガラス球）を遮蔽（以下、これを静電遮蔽作用という）し、アークチューブ（の密閉ガラス球）に作用しようとする外部電界の影響を少なくする。このため、アークチューブ（の密閉ガラス球）内のＮａ＋イオンに作用する、アークチューブ近傍のグランド電位（０ボルト）の存在等に起因して生じる外部電界の影響（Ｎａ＋イオンをグランド電位（０ボルト）の存在の方向に引っ張る力）は僅かとなって、Ｎａ＋イオンはアークチューブ（の密閉ガラス球）やシュラウドガラスを通り抜けることができない。
【００１１】
なお、シュラウドガラスに含まれる金属酸化物は、その総添加量が４０００ｐｐｍ未満では、アークチューブ（の密閉ガラス球）に対し外部電界の影響を少なくする静電遮蔽作用が十分ではなく、一方、その添加量が７０００ｐｐｍを越えると、シュラウドガラス表面に筋状の凹凸が生じたり、アークチューブとの馴染みが悪くなるなど、シュラウドガラスの成形性や密着性が低下するので、４０００〜７０００ｐｐｍの範囲が望ましい。
【００１３】
また、一般に、アークチューブ（の密閉ガラス球）内で電離したハロゲンイオンや蒸発したタングステンイオンが石英ガラス（ＳｉＯ２）と反応して密閉ガラス球の内側に白い結晶として付着するという失透現象を防止するために、シュラウドガラスにはＡｌ２Ｏ３が適量添加されているが、このＡｌ２Ｏ３が１５００ｐｐｍ未満では、失透現象を防止する上では有効であるが、静電遮蔽作用が十分とはいえず、Ｎａのアークチューブ外への通り抜けを有効に防止できない。また、シュラウドガラスの化学的耐久性が不足し、かつ機械的硬度も十分ではない。
【００１４】
また、ＣｅＯ２が２５００ｐｐｍ未満では、人体などに有害な紫外線を十分カットできない。
【００１５】
従って、失透現象を防止する上で有効で、静電遮蔽作用が十分で、化学的耐久性および機械的硬度も満足でき、かつ紫外線を十分にカットできるように、Ａｌ２Ｏ３の添加量を１５００ｐｐｍ以上、ＣｅＯ２の添加量を２５００ｐｐｍ以上とした。
なお、このＮａの通り抜けを抑制する上で有効なＡｌ２Ｏ３の添加量は、図５に示すように、１５００〜２０００ｐｐｍまでの範囲で有効であることが確認されている。
また、ＣｅＯ２の添加量については、図４に示すように、Ｎａの通り抜けを抑制するためには２５００ｐｐｍ以上が望ましく、添加量３０００ｐｐｍまで有効であることが確認されている。
【００１６】
請求項２においては、請求項１に記載の照明装置において、前記アークチューブとシュラウドガラス間の密閉空間に、１気圧以上の不活性ガス（ＡｒまたはＫｒ）を充填するようにした。
【００１７】
（作用）アークチューブ（の密閉ガラス球）周りの密閉空間内に空気の分子量（≒Ｎ２の分子量）より分子量の大きな不活性ガス（ＡｒまたはＫｒ）が１気圧以上の形態で存在することで、それだけアークチューブ周りの密閉空間における誘電率が大きくなって、アークに作用する外部電界が小さくなり、それだけＮａ＋イオンが抜けにくい。
【００１８】
請求項３においては、請求項１または２に記載の照明装置において、前記アークチューブ本体の近傍に配光制御用の金属製遮光シェードを設け、前記遮光シェードを電磁波シールド機能を備えた構成とした。
（作用）グランド電位（０ボルト）に保持された配光制御用の金属製遮光シェードが、アークチューブから発生する電磁波をシールドして、電子部品における電磁ノイズの発生を阻止する。なお、アークチューブ本体の近傍に配置された金属製の遮光シェード（グランド電位）の存在が、アークに電界を作用させてＮａ＋イオンを遮光シェード側に引っ張ることになるが、シュラウドガラスに添加されている金属酸化物の静電遮蔽作用により、アークに作用する電界は小さく、Ｎａ＋イオンのアークチューブ外への通り抜けが抑制される。
【００１９】
【発明の実施の形態】
次に、本発明の実施の形態を実施例に基づいて説明する。
【００２０】
図１〜図６は本発明の第１の実施例を示すもので、図１は本発明の第１の実施例である照明装置を備えた自動車用ヘッドランプの縦断面図、図２はシュラウドガラスに添加された金属酸化物による静電遮蔽作用を示す図、図３は実施例１，２、従来例および比較例１，２それぞれのシュラウドガラス中における金属酸化物の添加量とＮａの通り抜けとの関係を示す図、図４は金属酸化物であるＣｅＯ２の添加量とＮａの通り抜けおよびＵＶカット性能との関係を示す図、図５は金属酸化物であるＡｌ２Ｏ３の添加量とＮａの通り抜けとの関係を示す図、図６は金属酸化物の添加量とシュラウドガラスの成形性との関係を示す図である。
【００２１】
図１において、符号３０は自動車用ヘッドランプで、前面の開口する容器状のランプボディ３２の前面開口部に前面レンズ３４が組み付けられて灯室Ｓが画成され、灯室Ｓ内には、図示しないエイミング機構によってリフレクタ３６が傾動可能に支持されている。リフレクタ３６のバルブ挿着孔３７には、前方に延出するアークチューブ本体１Ａを備えた放電バルブ１０が挿着されており、アークチューブ本体１Ａの前方には、その脚部８ａがリフレクタ３６に支持されて放電バルブ１０におけるアークチューブ本体１Ａを覆う金属製の遮光シェード８が配設されている。
【００２２】
放電バルブ１０は、合成樹脂製の絶縁プラグ１２の前方にアークチューブ本体１Ａが一体化された構造で、アークチューブ本体１Ａの後端部が絶縁プラグ１２に支持されるとともに、アークチューブ本体１Ａの前端部が絶縁プラグ１２から前方に延出する金属製リードサポート１４によって支持されている。符号１５は、リードサポート１４に嵌装された絶縁スリーブである。
【００２３】
遮光シェード８は、アークチューブ本体１Ａから前方に向かう直射光を遮光してグレア光の発生を防止するとともに、リフレクタ３６の有効反射面に向かう光の一部を遮光してすれ違いビームにおけるクリアカットラインの形成に寄与する。符号３８はエクステンションリフレクター、符号３９はバックカバーである。
【００２４】
また、符号４０は、放電バルブ１０に高電圧を印加して放電を開始させる点灯回路（図示せず）と放電バルブ１０に安定した放電を継続させるためのバラスト回路（図示せず）とを一体化した点灯回路・バラスト回路ユニットで、ランプボディ３２の底部外側にネジによって固定されている。この点灯回路・バラスト回路ユニット４０からランプボディ３２内に導出した出力コード４２は、コネクタ４４を介して放電バルブ１０の後端部に接続されている。
【００２５】
また、遮光シェード８の脚８ａはリフレクタ３６を貫通して、コネクタ４４内のアース端子（図示せず）に接続されて、遮光シェード８が常にグランドレベル（０Ｖ）に保持されている。このため、放電バルブ１０の点灯時（アークチューブの放電時）に発生する電磁波は、この遮光シェード８にシールドされてしまって周囲に放出されず、カーラジオその他の電子部品にノイズとして現れることがない。
【００２６】
アークチューブ本体１０は、電極３，３の対設された密閉ガラス球２ａをもつアークチューブ２に、円筒型の紫外線遮蔽用シュラウドガラス４Ａが溶着（封着）一体化されて、密閉ガラス球２ａをシュラウドガラス４Ａが包囲密封(囲繞)した構造となっている。符号５は、アークチューブ２のピンチシール部２ｂに封着されているモリブデン箔で、その側縁部には電極５とリード線６とが対向するように接続され、電極５は密閉ガラス球２ａ内に延出し、リード線６はピンチシール部２ｂから外部に導出している。
【００２７】
アークチューブ２は、円パイプ形状の石英ガラス管から加工されて、長手方向所定位置に横断面矩形状のピンチシール部２ｂ，２ｂで挟まれた回転楕円体形状の密閉ガラス球２ａが形成された構造で、ガラス球２ａ内には、主に青色発光成分であるＨｇ、主に赤色発光成分であるＮａＩ、主に緑色発光成分であるＳｃＩおよび始動用希ガスであるＸｅガスが封止されている。
【００２８】
シュラウドガラス４Ａは、所定量のＣｅＯ２およびＴｉＯ２を添加した紫外線遮光作用のある石英ガラスで構成されており、放電部である密閉ガラス球２ａにおける発光から人体に有害となる所定波長域の紫外線を確実にカットできる。また、シュラウドガラス４Ａには、失透現象を抑制するとともに、化学的耐久性と機械的硬度を保持するために、Ａｌ２Ｏ３も添加されているが、このＡｌ２Ｏ３は、１５００ｐｐｍ以上添加されて、Ｎａの密閉ガラス球２ａからの通り抜けも抑制されるようになっている。
【００２９】
即ち、図２に示すように、アークチューブの点灯（電極３，３間の放電）により、アークチューブ２（の密閉ガラス球２ａ）内のＮａＩやＳｃＩが電離してＮａ＋イオンやＳｃ＋イオンとなる。そして、アークチューブ本体１Ａの近傍に配置された金属製の配光制御用の遮光シェード８は、アークチューブの点灯時（電極３，３間の放電時）に電極アッシー（電極３，モリブデン箔５，リード線６）等の通電路から発生する電磁波（カーラジオなどの電子部品において電磁ノイズの原因となる電磁波）をシールドするために、グランド電位（０ボルト）に保持されており、このため、正極点灯方式により＋８５Ｖのランプ電圧が印加される電極３とグランド電位（０Ｖ）の遮光シェード８間には電界が生じて、密閉ガラス球２ａ内に生じたＮａ＋イオンやＳｃ＋イオンをグランド電位（０Ｖ）の方向に引っ張る力が作用する。そして、Ｎａ＋イオンはＳｃ＋イオンや石英ガラスの分子（アークチューブ２やシュラウドガラス４Ａを構成する石英ガラスの分子）よりも小さいため、この外部電界の力によってアークチューブ２の側壁およびシュラウドガラス４Ａの側壁を通り抜けてしまう（図７参照）という、Ｎａ＋イオンの通り抜けが起こるおそれがある。
【００３０】
しかし、シュラウドガラス４Ａに添加されている１５００ｐｐｍ以上のＡｌ２Ｏ３が、図２破線で示すように、アークチューブ２（の密閉ガラス球２ａ）を包囲する形態Ｐとなって、外部電界に対しアークチューブ２（の密閉ガラス球２ａ）を静電遮蔽するので、アークチューブ２（の密閉ガラス球２ａ）内には外部電界の影響がおよばない。このため、アークチューブ２（の密閉ガラス球２ａ）内のＮａ＋イオンやＳｃ＋イオンには外部電界による力（Ｎａ＋イオンやＳｃ＋イオンをグランド電位（０ボルト）の方向に引っ張る力）が作用せず、Ｎａ＋イオンのアークチューブ２（の密閉ガラス球２ａ）およびシュラウドガラス４Ａの通り抜けが抑制される。したがって、Ｎａがアークチューブ外に抜けてアークチューブ２の発光色が青白っぽくなったり、光束が低下するといった不具合がない。
【００３１】
なお、このＮａの通り抜けを抑制する上で有効なＡｌ２Ｏ３の添加量は、図５に示すように、１５００ｐｐｍ以上であることが望まれ、実験では、その添加量にほぼ比例して静電遮蔽作用（外部電界がおよばないように障壁となる作用）が高まり、Ｎａの通り抜けを抑制する作用は、添加量１５００〜２０００ｐｐｍまでの範囲で有効であることが確認されている。即ち、Ａｌ２Ｏ３が１５００ｐｐｍ未満では、静電遮蔽作用が十分に機能せず、Ｎａの通り抜けを有効に防止できない。さらに、シュラウドガラス４Ａの化学的耐久性が不足し、その機械的硬度も低下する。
【００３２】
また、シュラウドガラス４ＡのＵＶカット性能については、主にＣｅＯ２とＴｉＯ２の存在に負うところが大きく、ＣｅＯ２の添加量については、図４に示すように、１５００ｐｐｍ以上であればよいが、Ｎａの通り抜けを抑制するためには２５００ｐｐｍ以上が望ましく、添加量３０００ｐｐｍまで有効であることが確認されている。特に、一般照明用のＵＶカットガラスでは、ＣｅＯ２は５００ｐｐｍ程度しか添加されないの対し、本実施例では、自動車用灯具のアークチューブ(のシュラウドガラス)について要求される厳しいＵＶカット性能を満足できるように、その添加量が多くなっている（図３参照）。
【００３３】
なお、ＵＶカット性能については、ＴｉＯ２を添加せずＣｅＯ２だけを添加しても問題ない。
【００３４】
また、主としてＮａの通り抜けを抑制する上で有効なＡｌ２Ｏ３の添加量は１５００ｐｐｍ以上で、主としてＵＶカットに有効なＣｅＯ２の添加量は２５００ｐｐｍ以上が望ましいことから、Ａｌ２Ｏ３とＣｅＯ２両者の総添加量は、４０００ｐｐｍ以上であることが望ましい。また、図６に示すように、Ａｌ２Ｏ３およびＣｅＯ２を含む金属酸化物の総添加量が５０００ｐｐｍでは問題ないが、７０００ｐｐｍとなると、シュラウドガラスの表面に筋状の凹凸が形成され、９０００ｐｐｍとなると、この凹凸が目立って見栄えが悪く、しかもこの凹凸で光が散乱して所定の配光が形成できないおそれもあるため、好ましくない。したがって、Ａｌ２Ｏ３とＣｅＯ２を含む金属酸化物の総添加量は４０００ｐｐｍ以上で７０００ｐｐｍ未満の範囲が望ましい。
【００３５】
また、アークチューブ２を包囲するシュラウドガラス４Ａの内部空間には、不活性ガス（ＡｒまたはＫｒ）が封入されて、放電部である密閉ガラス球２ａからの熱の幅射に対する断熱作用を営み、かつランプ特性が外部環境の変化に影響を受けないように設計されている。また、シュラウドガラス４Ａの内部空間に封入されている不活性ガス（ＡｒまたはＫｒ）の圧力は、常温で１気圧以上とされて、アークチューブ２周りの密閉空間内には、空気の分子量（≒Ｎ２の分子量）より大きな分子量であって多くの分子が存在することとなって、それだけ密閉ガラス球２ａを包囲する密閉空間における誘電率が大きくなる分、アークに作用する電界が小さくなり、Ｎａ＋イオンが抜けにくいといえる。
【００３７】
【発明の効果】
以上の説明から明かなように、請求項１に係る照明装置によれば、シュラウドガラスに添加されている所定量の金属酸化物の静電遮蔽作用によって、アークチューブ内のＮａ＋イオンに外部電界がおよばず、アークチューブ内のＮａ＋イオンは外部に通り抜けることなく内部にとどまって、従来のようにＮａがアークチューブ外に抜けてアークチューブの発光色が青白っぽくなったり、光束が低下するといった不具合もなく、長期にわたり適正な発光が保証される。
【００３８】
また、アークチューブに失透現象が生じないことは勿論、従来のようにＮａがアークチューブ外に抜けてアークチューブの発光色が青白っぽくなったり、光束が低下するといった不具合もなく、長期にわたり適正な発光が保証される。
【００３９】
請求項２によれば、アークに作用する電界の大きさがより小さくなるので、それだけＮａ＋イオンのアークチューブ外への通り抜けが抑制されて、アークチューブの発光色が青白っぽくなったり、光束が低下するといった不具合が一層なくなって、長期にわたり適正な発光が保証される。
【００４０】
請求項３によれば、放電バルブの近傍に配置される電子部品において電磁ノイズの発生がなく、従来のようにＮａがアークチューブ外に通り抜けてアークチューブの発光色が青白っぽくなったり、光束が低下するといった不具合もなく、長期にわたり適正な発光が保証される。
【００４１】
【図面の簡単な説明】
【図１】本発明の第１の実施例である放電バルブを挿着した自動車用ヘッドランプの縦断面図である。
【図２】シュラウドガラスに添加された金属酸化物による静電遮蔽作用を示す図である。
【図３】実施例１，２、従来例および比較例１，２それぞれのシュラウドガラス中における金属酸化物の添加量とＮａの通り抜けとの関係を示す図である。
【図４】金属酸化物であるＣｅＯ２の添加量とＮａの通り抜けおよびＵＶカット性能との関係を示す図である。
【図５】金属酸化物であるＡｌ２Ｏ３の添加量とＮａの通り抜けとの関係を示すである。
【図６】金属酸化物の添加量とシュラウドガラスの成形性との関係を示す図である。
【図７】従来技術の問題点であるＮａが通り抜ける様子を示す図である。
【図８】正極点灯方式と負極点灯方式におけるアークチューブの発光の色度（ｘ，ｙ）特性の違いを示す図である。
【図９】正極点灯方式と負極点灯方式の利点と欠点を比較して示す図である。
【符号の説明】
１Ａ  アークチューブ本体
２  アークチューブ
２ａ  密閉ガラス球
３  放電電極
４Ａ  紫外線遮蔽用シュラウドガラス
６  リード線
８  金属製遮光シェード
１０  放電バルブ
１２  合成樹脂製絶縁プラグ
【図１】
0003916887.tif 000002
【図２】
0003916887.tif 000003
【図３】
0003916887.tif 000004
【図４】
0003916887.tif 000005
【図５】
0003916887.tif 000006
【図６】
0003916887.tif 000007
【図７】
0003916887.tif 000008
【図８】
0003916887.tif 000009
【図９】
0003916887.tif 000010